(57)【要約】      （修正有）【課題】倉庫内の保管スペースを低減でき、かつ包装作業を効率化できる書籍用の包装材を提供する。【解決手段】厚紙製の書籍用の包装材であって、書籍を縦向きに包む縦向き包装材１ａの長辺１ｃと書籍を横向きに包む横向き包装材１ｂの長辺１ｃとが少なくとも２点で切り離し可能に連続しており、前記横向き包装材１ｂには、粘着テープ１ｂ２が貼着された円形の支点部１ｂ１が切り抜かれており、横向き包装材を前記円形の支点部が縦向き包装材１ａに折り重ねた際に、前記縦向き包装材１ａに接着されるようにした書籍用の包装材１とする。【選択図】図１
2005255177.tif 000002
【特許請求の範囲】
【請求項１】
厚紙製の書籍用の包装材であって、
書籍を縦向きに包む縦向き包装材の長辺と書籍を横向きに包む横向き包装材の長辺とが少なくとも２点で切り離し可能に連続しており、前記横向き包装材には、粘着テープが貼着された円形の支点部が切り抜かれており、この横向き包装材を前記縦向き包装材に折り重ねた際に、前記円形の支点部が縦向き包装材に接着されるようにしたことを特徴とする書籍用の包装材。
【請求項２】
前記厚紙が段ボール紙であって、前記縦向き包装材の長辺および前記横向き包装材の長辺に直交する方向が折り曲げ可能な方向となっていることを特徴とする請求項1に記載の書籍用の包装材。
【請求項３】
前記円形の支点部の外周には、脱落防止用の凹凸が形成されていることを特徴とする請求項1または請求項２に記載の書籍用の包装材
【発明の詳細な説明】
【技術分野】
【０００１】
この発明は、平坦な物品を移動しないように郵送するための包装材であって、コンパクトディスク、カセット、書籍等の物品のうち特に書籍を郵送するための書籍用の包装材に関する。
【背景技術】
【０００２】
従来の書籍を郵送するための書籍用の包装材としては、例えば図4に示すようなものが知られている。
この包装材は、包装対象物である書籍よりも若干大きな矩形状の基準面と、この基準面の対向一対の辺を折線として夫々外側に延出された第１の抜き止め用折返し片と、前記基準面の対向他対の辺を折線として夫々外側に矩形状に延出されかつ該矩形の対角線の一つが予め折線として設けられている一対の三角状折畳み片と、これらの三角状折畳み片の延出方向両側辺の少なくともいずれか一方を折線として延出された第２の抜き止め用折返し片とを備えたケースを段ボール紙で形成したものである。
このように形成することにより、裁断と折線付けを行うだけで包装材が製造でき、かつ包装対象物の厚みに応じて適宜に行う折線付けの作業が容易な包装材が提供できるというものである（特許文献１を参照願います）。
【０００３】
また、他の書籍用の包装材として、図示しないが、縦向き折線で２つ折り自在の台紙を構成し、この台紙の外面に品物格納部を設け、また、同台紙の内面に当該台紙よりも上下方向が長い伸展用紙をその上・下両側の箇所が台紙の外に張り出した状態として重ねると共に当該伸展用紙の左右両側箇所を上記台紙の左右両端側の内面に止着し、この伸展用紙に上記上・下両側張り出し箇所の基端側基準線と交差する左上り基準線および右上がり基準線をこれ等左・右上り基準線が上記台紙の縦向き折線の上で交差する位置とした包装材がある(特許文献2を参照願います)。
【特許文献１】特開平０７−２８５５３５号公報
【特許文献２】登録実用新案  第３０４８４９１号公報
【発明の開示】
【発明が解決しようとする課題】
【０００４】
しかしながら、このような書籍用の包装材は、
（１）１枚の厚紙に展開したときに複雑な凹凸の形状となる。そのため書籍用の包装材を、この１枚の厚紙から組み立てるときには時間がかかるという問題があった。
（２）また、包装材全体を形成する各包装材、例えば台紙や伸展用紙をそれぞれ別々に保管するため保管スペースが増大し、保管倉庫内の保管スペースを有効に利用できないという問題があった。
（３）さらに、書籍を包装する際、包装に必要な各包装材、例えば台紙や伸展用紙を倉庫のあちこちから運び出す必要があるため時間がかかり包装作業の効率が悪くなるという問題があった。
【０００５】
この発明は前記課題を解決するためになされたものであって、倉庫内の保管スペースを低減でき、かつ包装作業を効率化できる書籍用の包装材を提供することを目的とする。
【課題を解決するための手段】
【０００６】
この発明は前記課題を解決するためになされたものであって、請求項１に記載の発明は、厚紙製の書籍用の包装材であって、書籍を縦向きに包む縦向き包装材の長辺と書籍を横向きに包む横向き包装材の長辺とが少なくとも２点で切り離し可能に連続しており、前記横向き包装材には、粘着テープが貼着された円形の支点部が切り抜かれており、この横向き包装材を前記縦向き包装材に折り重ねた際に、前記円形の支点部が縦向き包装材に接着されるようにした書籍用の包装材である。
【０００７】
請求項１に記載の発明によると、
（１）厚紙製の書籍用の包装材を、書籍を縦向きに包む縦向き包装材の長辺と書籍を横向きに包む横向き包装材の長辺とを少なくとも２点で切り離し可能に連続させることにより、包装材を裁断する手間がなくなるので包装作業の効率が向上する。
（２）横向き包装材を縦向き包装材に折り重ねた際に、横向き包装材が縦向き包装材に接着されるよう粘着テープを貼着した円形の支点部を切り抜いて設けたことにより、折り重ねた際の支点部の位置決めが容易となり、かつ円形の支点部の周りに横向き包装材を回転させることが可能となる結果、これらの包装材を互いに交差させることができる。
【０００８】
請求項２に記載の発明は、前記厚紙が段ボール紙であって、前記縦向き包装材の長辺および前記横向き包装材の長辺に直交する方向が折り曲げ可能な方向となっていることを特徴とする請求項1に記載の書籍用の包装材である。
【０００９】
請求項２に記載の発明によると、前記厚紙として段ボール紙を用い、前記縦向き包装材の長辺および前記横向き包装材の長辺に直交する方向が折り曲げ可能な方向としたことで、
段ボールのような厚紙であっても簡単に手で折り曲げることができるようになり、書籍を短時間で容易に包装することができる。従って包装作業の効率が向上する。
【００１０】
請求項３に記載の発明は、前記円形の支点部の外周には、脱落防止用の凹凸が形成されていることを特徴とする請求項1または請求項２に記載の書籍用の包装材である。
【００１１】
請求項３に記載の発明によると、前記円形の支点部の外周に、脱落防止用の凹凸を形成したことで、円形の支点部とその周囲との境界面での摩擦力が大きくなり、円形の支点部が脱落しなくなる。
【発明の効果】
【００１２】
請求項１に記載の発明によれば、
（１）厚紙製の書籍用の包装材を、書籍を縦向きに包む縦向き包装材の長辺と書籍を横向きに包む横向き包装材の長辺とを少なくとも２点で切り離し可能に連続させることにより、包装材を裁断する手間がなくなるので包装作業の効率が向上する。
（２）横向き包装材を縦向き包装材に折り重ねた際に、横向き包装材が縦向き包装材に接着されるよう粘着テープを貼着した円形の支点部を切り抜いて設けたことにより、折り重ねた際の支点部の位置決めが容易となり、かつ円形の支点部の周りに横向き包装材を回転させることが可能となる結果、これらの包装材を互いに交差させることができる。
【００１３】
請求項２に記載の発明によれば、
前記厚紙として段ボール紙を用い、前記縦向き包装材の長辺および前記横向き包装材の長辺に直交する方向が折り曲げ可能な方向としたことで、段ボールのような厚紙であっても簡単に手で折り曲げることができるようになり、書籍を短時間で容易に包装することができる。従って包装作業の効率が向上する。
【００１４】
請求項３に記載の発明によれば、
前記円形の支点部の外周に、脱落防止用の凹凸を形成したことで、円形の支点部とその周囲との境界面での摩擦力が大きくなり、円形の支点部が脱落しなくなる。
【発明を実施するための最良の形態】
【００１５】
最初にこの発明に係る書籍用の包装材の材質について説明する。包装材の材質は紙であり、書籍を梱包したときに所定の位置に書籍を固定でき、かつ内部の書籍が外部からの衝撃や落下による衝撃で傷められない構造を持った厚紙を使用するのが好ましい。本実施形態では書籍用の包装材として段ボール紙を使用している。
【００１６】
以下、この発明に係る書籍用の包装材の一実施の形態を図面を参照しながら説明する。
図１に示すように、この発明に係る書籍用の包装材１は、書籍を縦向きに包む縦向き包装材１ａの長辺１ｃと書籍を横向きに包む横向き包装材１ｂの長辺１ｃとが１点以上、例えば２点で切り離し可能に連続している。ここで、縦向き、横向きとは、書籍を所定の場所に載置したときに包装材で包む方向をいう。尚、縦向き包装材１ａおよび横向き包装材１ｂの形状はどちらも矩形をしており、縦向き包装材１ａの方が横向き包装材１ｂよりも幅が広く形成されている。
【００１７】
このように書籍用の包装材１を、書籍を縦向きに包む縦向き包装材１ａの長辺１ｃと書籍を横向きに包む横向き包装材１ｂの長辺１ｃとを２点で切り離し可能に連続させることにより、包装材を裁断する手間がなくなるので包装作業の効率が向上する。
また、矩形の縦向き包装材１ａと矩形の横向き包装材１ｂとを長辺１ｃを介して２点で切り離し可能に連続させて1枚の矩形の包装材となるようにしたので、凹凸形状を有する従来の包装材を保管するときに発生していた無駄な保管スペースも低減できる。
【００１８】
また、横向き包装材１ｂには、これを縦向き包装材１ａの長辺１ｃに沿って折り重ねた際、前記縦向き包装材１ａに接着される粘着テープ（両面テープ）１ｂ２が貼着された円形の支点部１ｂ１が切り抜かれている。円形の支点部１ｂ１は、横向き包装材１ｂの中央部に設けられている。
【００１９】
このように横向き包装材１ｂの中央部に円形の支点部１ｂ１を設けたので、縦向き包装材１ａの長辺１ｃに沿って横向き包装材１ｂを折り重ねた際、必ず円形の支点部１ｂ１が縦向き包装材１ａの書籍載置場所内に入るようになる。従って、包装する書籍の大きさが変わった場合は、長辺１ｃの長さと縦向き包装材１ａの横幅の長さを適宜調整することで簡単に対応できる。尚、書籍載置場所は、予め書籍の大きさに応じて縦向き包装材１ａにマーキングされている。本実施形態では、鍵型のマーク内が書籍載置場所である（図１参照）。
【００２０】
また、横向き包装材１ｂを縦向き包装材１ａに折り重ねた際に、横向き包装材１ｂが縦向き包装材１ａに接着されるよう粘着テープ（両面テープ）１ｂ２を貼着した円形の支点部１ｂ１を切り抜いて設けたことにより、折り重ねた際の支点部の位置決めが容易となり、かつ円形の支点部１ｂ１の周りに横向き包装材１ｂを回転させることが可能となる結果、これらの包装材１ａ，１ｂを互いに交差させることができる。
【００２１】
ここで円形の支点部１ｂ１について、図２を参照して説明する。尚、図２（ａ）はこの発明に係る円形の支点部を示す図、図２（ｂ）はこの発明に係る円形の支点部の外周に凹凸を設けた一例を示す図である。通常は、図２（ａ）のような円形に切り抜いた支点部でも脱落防止ができるが、包装作業をするときは包装材を乱暴に扱うことも多いので、図２（ｂ）のように円形の支点部の外周に脱落防止用の凹凸を設けて円形の支点部とその周囲との境界面での摩擦力が大きくなるようにすればより確実に脱落防止ができる。
但し、凹凸は、縦向き包装材１ａと横向き包装材１ｂとを交差させる必要があるため、円形の支点部を中心としてその周囲が回転できるように凹凸を設ける必要がある。
【００２２】
また、縦向き包装材１ａの長辺１ｃおよび横向き包装材１ｂの長辺１ｃに直交する方向が包装材の折り曲げ可能な方向になっている（図1参照）。
【００２３】
このように縦向き包装材１ａの長辺１ｃおよび横向き包装材１ｂの長辺１ｃに直交する方向を包装材の折り曲げ可能な方向とすることで、段ボール紙のような厚紙であっても書籍を短時間で容易に包装することができる。従って包装作業の効率化が図れる。
尚、段ボール紙は段の山であるフルートとフルートに貼り付けるライナとから構成されるが、フルートの直角方向に折り畳み線を設けて折り曲げるようにするのが良い。
【００２４】
このように構成されるこの発明に係る書籍用の包装材の包装方法について図３を参照して説明する。
（ａ）書籍用の包装材を、2点で切り離し可能に連続する長辺１ｃを折り曲げて横向き包装材１ｂと縦向き包装材１ａとに切り離す。
（ｂ）縦向き包装材１ａの上に横向き包装材１ｂを重ね合わせる。このとき、横向き包装材１ｂの中央部に設けられた円形の支点部１ｂ１の上に貼着した粘着テープ（両面テープ）１ｂ２の剥離紙を剥がして、縦向き包装材１ａと横向き包装材１ｂとを接着する。
（ｃ）次に、円形の支点部１ｂ１を指で押さえて中心とし、円形の支点部１ｂ１の周りに横向き包装材１ｂを回転させ、縦向き包装材１ａと横向き包装材１ｂとを互いに交差させる。
（ｄ）書籍を所定の載置場所に載置し、横向き包装材１ｂの折り畳み線から縦向き包装材１ａの折り畳み線へと順次折り畳み線を折り曲げていき書籍を包装する。このとき、図３（ｃ）のように、横向き包装材１ｂの内側に設けられている２本の折り畳み線を、縦向き包装材１ａの両端の辺と重なるように設けておけば、横向き包装材１ｂで包んだ書籍を縦向き包装材１ａの内部に確実に収納することができる。
（ｅ）包装終了。
【００２５】
このような構成と作用を有する実施形態の書籍用の包装材によれば、
１．厚紙として段ボール紙を用い、矩形の縦向き包装材１ａと矩形の横向き包装材１ｂとを長辺１ｃを介して２点で切り離し可能に連続させて1枚の矩形の包装材となるようにし、前記縦向き包装材１ａの長辺１ｃおよび前記横向き包装材１ｂの長辺１ｃに直交する方向を折り曲げ可能な方向としたことで、包装材の裁断に必要な時間や厚紙を曲げる時間が短縮されるので包装作業の効率を向上させることができる。また、書籍用の包装材全体を構成する各包装材を分散させないで1箇所に集めることができるので、保管倉庫のあちこちから各包装材を運び出す必要もなくなり包装作業の効率が向上する。
２．包装材全体が１枚の矩形という形状なので、複雑な形状から包装材を組み立てる従来と比較して包装作業が簡素化される結果、作業効率が向上する。また、包装材を保管する倉庫の保管スペースも、包装材の形状が平面的に見て周囲に出っ張りや切欠き等の凹凸がないので無駄な保管スペースが発生しない。従って、従来よりも包装材の保管スペースを低減できる。
【図面の簡単な説明】
【００２６】
【図１】この発明に係る書籍用の包装材の構成全体を説明するための平面図である。
【図２】（ａ）この発明に係る円形の支点部を示す図である。  （ｂ）この発明に係る円形の支点部の外周に凹凸を設けた一例を示す図である。
【図３】（ａ）~（ｄ）は、この発明に係る書籍用の包装材の作用を説明するための図である。
【図４】従来の書籍用の包装材を説明するための展開平面図である。
【符号の説明】
【００２７】
１            書籍用の包装材
１ａ          縦向き包装材
１ｂ          横向き包装材
１ｂ１        円形の支点部
１ｂ２        粘着テープ(両面テープ)
１ｃ          長辺
【図１】
2005255177.tif 000003
【図２】
2005255177.tif 000004
【図３】
2005255177.tif 000005
【図４】
2005255177.tif 000006